(57)【要約】【課題】  電子部品本体が発現する各種電気特性の出力を高めることが可能なチップ型電子部品を提供する。【解決手段】  略直方体状の電子部品本体１と、該電子部品本体１の対向する端面３に設けられている外部電極５とを有し、電子部品本体１は、端面３が凹状であり、外部電極５の略全てが凹状の端面３内に埋設されている。これによりチップ型電子部品の見かけ上の体積に占める電子部品本体１の体積割合を大きくすることができ、その結果、チップ型電子部品が発現する各種電気特性の出力を高めることができる。【選択図】図１
2015026730.tif 000002
【特許請求の範囲】
【請求項１】
略直方体状の電子部品本体と、該電子部品本体の対向する端面に設けられている外部電極とを有するチップ型電子部品であって、前記電子部品本体は、前記端面が凹状であり、前記外部電極の略全てが凹状の前記端面内に埋設されていることを特徴とするチップ型電子部品。
【請求項２】
前記電子部品本体の前記端面に隣接する４つの面のうち、対向する２つの面の前記端面側の外周縁がＵ字状に湾曲していることを特徴とする請求項１に記載のチップ型電子部品。
【請求項３】
前記電子部品本体は、内部に間隔をおいて積層された複数の導体層を有し、該導体層は、一部が前記端面から突出しており、該導体層の突出長は外周縁側よりも中央部側が長いことを特徴とする請求項１または２に記載のチップ型電子部品。
【請求項４】
前記導体層は、前記端面付近で積層方向の中央部に向くように曲がっていることを特徴とする請求項３に記載のチップ型電子部品。
【請求項５】
前記電子部品本体は、対向する２つの面が互いに反対の向きに凸状に湾曲していることを特徴とする請求項１乃至３のうちいずれかに記載のチップ型電子部品。
【請求項６】
前記導体層のうち、少なくとも積層方向の最上層および最下層の導体層は、互いに反対の向きに凸状に湾曲していることを特徴とする請求項３乃至５のうちいずれかに記載のチップ型電子部品。
【請求項７】
前記電子部品本体は、対向する２つの面が長手方向かつ積層方向に互いに反対の向きに凸状に湾曲していることを特徴とする請求項１乃至６のうちいずれかに記載のチップ型電子部品。
【請求項８】
前記導体層のうち、少なくとも積層方向の最上層および最下層の導体層は、長手方向かつ積層方向に互いに反対の向きに凸状に湾曲していることを特徴とする請求項３乃至７のうちいずれかに記載のチップ型電子部品。
【発明の詳細な説明】
【技術分野】
【０００１】
本発明は、チップ型電子部品に関する。
【背景技術】
【０００２】
近年、携帯電話などに代表される電子機器は、機能の向上とともに、ますます小型化が図られている。このような電子機器においては、例えば、特許文献１に示されているように、コンデンサ、インダクタ、抵抗体および半導体素子等の様々なチップ型電子部品が、電子機器内に装着された基板上に混載されて高密度に実装された構成となっている。
【０００３】
図１０（ａ）は、従来のチップ型電子部品を示す外観斜視図であり、（ｂ）は、（ａ）のＡ−Ａ線断面図である。
【０００４】
このような用途に適用されるチップ型電子部品としては、図１０に示すように、略直方体状の電子部品本体１０１の対向する端部１０３に、該端部１０３を覆うように外部電極１０５が設けられた構造が一般的である。
【０００５】
また、チップ型電子部品は、そのサイズや形状が、国際電気標準会議（ＩＥＣ）や日本工業規格（ＪＩＳ）によって規定されているが、例えば、外形寸法は、外部電極１０５を含めた見かけ上のサイズとして規定されている（例えば、非特許文献１を参照）。
【０００６】
特許文献１に示されているようなチップ型電子部品（特許文献１の回路素子に相当）としては、例えば、特許文献２に示されている小型の積層セラミックコンデンサ（サイズ：長さ１ｍｍ、幅０．５ｍｍ、厚み０．５ｍｍ）等がある。
【０００７】
ところで、チップ型電子部品は、電子機器の小型化に伴って、近年、ますます小型化が要求されてきており、チップ型電子部品のサイズ（見かけ上の体積）に占める外部電極１０５の割合が大きくなってきている。
【０００８】
このため、チップ型電子部品の見かけ上の体積に占める電子部品本体１０１の体積割合が小さくなり、チップ型電子部品が発現する各種電気特性の出力損失を生む原因となっている。
【先行技術文献】
【特許文献】
【０００９】
【特許文献１】特開２００３−３１８３１２号公報
【特許文献２】特開２０００−１１４０９７号公報
【非特許文献１】日本規格協会編  ＪＩＳハンドブック２００１  ２３電子部品  Ｃ５１０１−１０
【発明の概要】
【発明が解決しようとする課題】
【００１０】
本発明は、上記課題を解決するためになされたもので、電子部品本体が発現する各種電気特性の出力を高めることが可能なチップ型電子部品を提供することを目的とする。
【課題を解決するための手段】
【００１１】
本発明のチップ型電子部品は、略直方体状の電子部品本体と、該電子部品本体の対向する端面に設けられている外部電極とを有するチップ型電子部品であって、前記電子部品本
体は、前記端面が凹状であり、前記外部電極の略全てが凹状の前記端面内に埋設されていることを特徴とする。
【発明の効果】
【００１２】
本発明によれば、電子部品本体が発現する各種電気特性の出力を高めることが可能となる。
【図面の簡単な説明】
【００１３】
【図１】（ａ）は、本発明のチップ型電子部品の一実施形態を示す外観斜視図であり、（ｂ）は、図１のＡ−Ａ線断面図である。
【図２】従来のチップ型電子部品（ａ）と本実施形態のチップ型電子部品（ｂ）とのサイズの違いを示した外観斜視図である。
【図３】（ａ）は、本発明のチップ型電子部品の他の実施形態を示すもので、電子部品本体の端面に隣接する４つの面のうち、対向する２つの面の端面側の外周縁がＵ字状に湾曲していることを模式的に示す外観斜視図であり、（ｂ）は、本実施形態のチップ型電子部品を基板上に実装した状態を模式的に示す断面図である。
【図４】従来のチップ型電子部品が基板上に実装された状態を模式的に示す断面図である。
【図５】本発明のチップ型電子部品の他の実施形態を示すもので、電子部品本体の端面から突き出た導体層の突出長が、周縁部側よりも中央部側で長くなっていることを示す断面模式図である。
【図６】本発明のチップ型電子部品の他の実施形態を示すもので、導体層が端面付近で積層方向の中央部に向くように曲がっていることを示す断面模式図である。
【図７】（ａ）は、本発明のチップ型電子部品の他の実施形態を示すもので、電子部品本体の端面付近の面が積層方向に互いに背を向かせるように凸状に湾曲していることを示す断面模式図であり、（ｂ）は、（ａ）のＡ−Ａ線断面図である。
【図８】本発明のチップ型電子部品の他の実施形態を示すもので、電子部品本体１の端面付近における導体層２１が積層方向に互いに背を向かせるように凸状に湾曲していることを示す断面模式図である。
【図９】本実施形態のチップ型電子部品の製造工程を示す模式図である。
【図１０】（ａ）は、従来のチップ型電子部品を示す外観斜視図であり、（ｂ）、は（ａ）のＡ−Ａ線断面図である。
【発明を実施するための形態】
【００１４】
図１（ａ）は、本発明のチップ型電子部品の一実施形態を示す外観斜視図であり、（ｂ）は、図１のＡ−Ａ線断面図である。本実施形態のチップ型電子部品は、略直方体状の電子部品本体１と、電子部品本体１の対向する端面３に設けられている外部電極５とを有している。ここで、電子部品本体１は、端面３が凹状であり、外部電極５の略全てが凹状の端面３内に埋設された構成となっている。
【００１５】
本実施形態のチップ型電子部品によれば、電子部品本体１の端面３に設けられている外部電極５が、従来のチップ型電子部品のように、電子部品本体１の端面３に隣接する４つの面（１ａ、１ｂ、１ｃ、１ｄ）側に回り込むような構造ではなく、図１に示されるように、電子部品本体１の凹状の端面３内に埋設される構造であるため、電子部品本体１の外形を略最大とするサイズに収まるような形状となり、これによりチップ型電子部品の見かけ上の体積に占める電子部品本体１の体積割合を大きくすることができる。その結果、チップ型電子部品が発現する各種電気特性の出力を高めることができる。
【００１６】
ここで、電子部品本体１の形状が略直方体状とは、２つずつ平行な３組の平面によって囲まれた平行六面体だけではなく、隣接した平面によって形成されている稜線や角部が丸
みを帯びている形状や、平面がやや湾曲している構造をも含む意味である。
【００１７】
また、凹状とは、凹部が矩形状に切り立った形状だけでなく、傾斜がすり鉢状のように緩やかに変化する形状も含む意味であり、また、溝状に見えるものも含む意味である。
【００１８】
また、凹状となった端面３に外部電極５の略全てが埋設されているとは、外部電極５の体積の約９５％以上が凹状の端面３内に埋まっているという意味である。この場合、外部電極５の表面は外周縁３ｓから５μｍ以内で平坦となっているのが好ましい。
【００１９】
外部電極５が凹状の端面３内に埋まっている割合は、チップ型電子部品の断面写真から以下の方法によって求める。まず、チップ型電子部品を、図１（ｂ）に示すような断面（幅方向のほぼ中央部）となるように研磨し、走査型電子顕微鏡を用いて断面の写真を撮影し、次いで、撮影した写真から外部電極５の全体の領域の面積（Ｓ０）を求める。次に、同じ写真において、電子部品本体の端面３の外周縁３ｓ（この場合、面１ａと面１ｃとの間）を直線で結んだ凹部（ほぼ半月状）の領域の面積（Ｓ１）を求め、Ｓ１／Ｓ０の比から求める。
【００２０】
図２は、従来のチップ型電子部品（ａ）と本実施形態のチップ型電子部品（ｂ）とのサイズの違いを表した外観斜視図である。図２（ａ）に示す従来のチップ型電子部品のサイズ（見かけ上の体積）は、外部電極１０５を含めた寸法（Ｌ０、ｗ０、ｔ０）によって規定されるサイズであるのに対し、図２（ｂ）に示した本実施形態のチップ型電子部品は、そのサイズ（見かけ上の体積）が実質的に電子部品本体１の寸法（Ｌ、ｗ、ｔ）によって規定されるサイズ（見かけ上の体積）となる。このため、従来のチップ型電子部品は、外部電極１０５が電子部品本体１０１の外側にはみ出した分（Ｌ０−Ｌ＝ΔＬ、ｗ０−ｗ＝Δｗ、ｔ０−ｔ＝Δｔ）だけ電子部品本体１０１の長さＬ、幅ｗおよび厚みｔが小さくなり、体積が小さくなってしまう。
【００２１】
これに対し、本実施形態のチップ型電子部品では、電子部品本体１の外形サイズの中に外部電極５が略収まる構造であるために、電子部品本体１のサイズ（長さＬ、幅ｗおよび厚みｔ）を規格寸法の最大値にまで大きくすることができ、これにより電子部品本体１の電気特性を向上させることが可能となる。
【００２２】
図３（ａ）は、本発明のチップ型電子部品の他の実施形態を示すもので、電子部品本体の端面に隣接する４つの面のうち、対向する２つの面の端面側の外周縁がＵ字状に湾曲していることを模式的に示す外観斜視図であり、（ｂ）は、本実施形態のチップ型電子部品を基板上に実装した状態を模式的に示す断面図である。図３（ｂ）では、チップ型電子部品の面１ｂ（１ｄ）が基板１１の表面１３に平行になるように配置され、外部電極５の側面部５ｂが基板１１に設けられた表面電極１５に接続される構成となっている。
【００２３】
図３に示すように、本発明の他の実施形態のチップ型電子部品では、電子部品本体１の端面３に隣接する４つの面（１ａ、１ｂ、１ｃ、１ｄ）のうち、対向する２つの面（１ｂ、１ｄ）の端面３側の外周縁３ｓがＵ字状に湾曲していることが望ましい。
【００２４】
チップ型電子部品が図３に示すような構造であると、外部電極５が電子部品本体１の端面３に垂直な面（１ｂ、１ｄ）側に露出した側面部５ｂを有する構造となる。このように形成された外部電極５の側面部５ｂを基板１１の表面電極１５に接続するようにすると、外部電極５が接続される表面電極１５の間隔は電子部品本体１の長さＬに対応するものとなり、基板１１上において表面電極１５の間隔を狭くすることができる。これにより複数個実装されるチップ型電子部品の間隔を狭くすることが可能となり、実装密度を向上させることができる。
【００２５】
この場合、電子部品本体１の端面３に垂直な面（１ｂ、１ｄ）に露出した外部電極５の側面部５ｂは面（１ｂ、１ｄ）から突出することなく、同一平面になるように形成されていることが好ましい。
【００２６】
また、上記したチップ型電子部品を用いた場合には、外部電極５の表面５ｓがほぼ平坦であることから、基板１１上にハンダなどの接合材を用いて実装する場合に、ハンダが固化する前にハンダの表面張力によりチップ型電子部品の一方の外部電極５側だけがハンダを介して基板に接合され、立ち上がってしまう、いわゆるツームストーン現象を抑えることも可能となる。
【００２７】
図４は、従来のチップ型電子部品が基板上に実装された状態を模式的に示す断面図である。一方、従来のチップ型電子部品の場合には、外部電極１０５が電子部品本体１０１の長さ方向の外側に大きくはみ出している関係で、外部電極１０５の外側にハンダなどの接合材１７が付着する構造になりやすく、接合材１７が付着した分（Ｌ１−Ｌ）だけ実装の間隔が大きくなってしまう。このため、チップ型電子部品が複数個実装されるような場合には、チップ型電子部品の間隔が大きくなり、実装密度も低くなってしまう。
【００２８】
図５は、本発明のチップ型電子部品の他の実施形態を示すもので、電子部品本体１の端面３から突き出た導体層２１の突出長が、外周縁３ｓ側よりも中央部３ｃ側で長くなっていることを示す断面模式図である。
【００２９】
本発明のチップ型電子部品は、図５に示すように、電子部品本体１の内部に導体層２１を有するタイプにも適用できる。この場合、導体層２１は電子部品本体１の内部にて間隔をおいて複数積層された構成となっており、導体層２１の一部が凹状の端面３に突出し、その突出長は外周縁３ｓ側よりも中央部３ｃ側が長くなっていることが望ましい（図５においては、Ｌ３＞Ｌ２の関係）。
【００３０】
電子部品本体１の端面３が凹状であるような本実施形態のチップ型電子部品において、凹状の端面３から露出した導体層２１の突出長が外周縁３ｓ側よりも中央部３ｃ側で長くなっていると、凹状の端面３の中でも深くなっている中央部３ｃ付近において、外部電極５中に埋入する導体層２１の長さが長くなるために、導体層２１と外部電極５との間の接合強度を向上させることができる。
【００３１】
また、図５に示すように、導体層２１の突出長（Ｌ２、Ｌ３）が凹部７の深さに対応した長さであると、埋入された導体層２１の突出長が外部電極５の厚みに応じた長さとなる。導体層２１および外部電極５がこのような構造であると、導体層２１および外部電極５に熱膨張による変形が生じた場合にも、端面３の中央部３ｃから外周縁３ｓ側まで歪み量を近いものとすることができ、これにより電子部品本体１の中で、厚みが薄くなっている外周縁３ｓ付近に発生するクラックを防止することが可能となる。
【００３２】
図６は、本発明のチップ型電子部品の他の実施形態を示すもので、導体層が端面付近で積層方向の中央部に向くように曲がっていることを示す断面模式図である。
【００３３】
本実施形態のチップ型電子部品においては、導体層２１が端面３付近で積層方向の中央部に向くように曲がっていることが望ましい。図６において、Ａ部として円で囲った導体層２１ａ、２１ｂおよび２１ｃは、Ｒ部として示した部分の曲率が端面３の中央部３ｃから外周縁３ｓ側へ向けて大きくなっている。凹状の端面３から突出した導体層２１の端部がこのように凹状の湾曲面に対してやや法線方向に向くようになっていると、外部電極５の厚みの薄い外周縁３ｓ側においても導体層２１が外部電極５中に埋入されやすくなり、
これにより外部電極５と導体層２１との接合強度をさらに高めることができる。
【００３４】
この場合、積層方向の中央に形成された導体層（図６では、符号２１ｃ）を中心に、上層側の導体層２１ａ、２１ｂと下層側の導体層２１ｄ、２１ｅとが向かい合うように配置されていることが望ましい。積層方向の中央に形成された導体層（図６では、符号２１ｃ）を中心に、上層側の導体層２１ａ、２１ｂと下層側の導体層２１ｄ、２１ｅとが向かい合うように配置されていると、導体層２１の変形し難い方向がお互いに反対の向きとなるため、チップ型電子部品の積層方向の上面側および下面側からの圧力に対する抗力が高まり、これによりチップ型電子部品の機械的強度を高められる。
【００３５】
この場合、本実施形態のチップ型電子部品においては、導体層２１のうち、少なくとも積層方向の最上層の導体層２１ａおよび最下層の導体層２１ｅが、積層方向に互いに背を向かせるように凸状に湾曲した構造となっていても同様の効果を得ることが可能となる。
【００３６】
図７（ａ）は、本発明のチップ型電子部品の他の実施形態を示すもので、電子部品本体１の端面付近の面（１ａ、１ｃ）が積層方向に互いに背を向かせるように凸状に湾曲していることを示す断面模式図であり、（ｂ）は、（ａ）のＡ−Ａ線断面図である。
【００３７】
本実施形態のチップ型電子部品では、電子部品本体１の端面付近の対向する２つの面（１ａ、１ｃ）が互いに反対の向きに凸状に湾曲していることが望ましい。まず、電子部品本体１の端面付近の対向する２つの面（１ａ、１ｃ）が互いに反対の向きに凸状に湾曲していると、略直方体状の電子部品本体１の８カ所の角部が丸く湾曲している分だけ体積を小さくできるため、チップ型電子部品をさらに小型化することが可能となる。また、電子部品本体１の８カ所の角部が丸く湾曲しているため、チップ型電子部品を取扱中に落下させたときなどに発生するクラックや欠けを抑制することも可能となる。
【００３８】
この場合、電子部品本体１の端面付近の対向する２つの面（１ａ、１ｃ）が互いに反対の向きに凸状に湾曲している状態としては、電子部品本体１を端面３側から見たときの端面３の外周縁３ｓ（面１ａ、１ｃの辺に対応）のみ、または電子部品本体１を側面側から見たときの端面３付近の面１ｂ、１ｄのみのいずれか一方が湾曲していればよいが、特に、図７に示すように、これら電子部品本体１を端面３側から見たときの端面３の外周縁３ｓ（面１ａ、１ｃの辺に対応）および電子部品本体１を側面側から見たときの端面３付近の面１ｂ、１ｄの両方が湾曲している状態であるのが良い。つまり、本実施形態のチップ型電子部品では、電子部品本体１の対向する２つの面が長手方向かつ幅方向に互いに反対の向きに凸状に湾曲していることが望ましい。
【００３９】
図８は、本発明のチップ型電子部品の他の実施形態を示すもので、電子部品本体１の端面付近における導体層２１が積層方向に互いに背を向かせるように凸状に湾曲していることを示す断面模式図である。
【００４０】
また、電子部品本体１の面（１ａ、１ｂ、１ｃ、１ｄ）が上記のように、凸状に湾曲していることに加えて、電子部品本体１の内部に形成されている導体層２１のうち、少なくとも積層方向の最上層および最下層の導体層２１が端面付近で互いに反対の向きに凸状に湾曲していることが望ましい。電子部品本体１の面１ａ、１ｂ、１ｃ、１ｄの形状に沿ったかたちで、端面付近において、少なくとも積層方向の最上層および最下層の導体層２１が湾曲した状態であると、湾曲した複数の導体層２１の積層方向の間隔を揃えることができ、これにより導体層２１間の絶縁性の低下や短絡の発生を抑制することができる。なお、このような場合もチップ型電子部品の積層方向の上面側および下面側からの圧力に対する抗力は高くなり、これによりチップ型電子部品の機械的強度を高められることはいうまでもない。
【００４１】
なお、図７および図８に示したチップ型電子部品についても、電子部品本体１の端面３に隣接する４つの面（１ａ、１ｂ、１ｃ、１ｄ）のうち、対向する２つの面（１ｂ、１ｄ）の端面３側の外周縁３ｓがＵ字状に湾曲し、外部電極５が電子部品本体１の端面３に垂直な面（１ｂ、１ｄ）側に露出した側面部５ｂを有する構造であってもよく、さらには、この場合も、電子部品本体１の端面３に垂直な面（１ｂ、１ｄ）に露出した外部電極５の側面部５ｂは面（１ｂ、１ｄ）から突出することなく、同一平面になるように形成されていることが望ましい。
【００４２】
次に、本実施形態のチップ型電子部品の製造方法について説明する。図９は、本実施形態のチップ型電子部品の製造工程を示す模式図である。本実施形態のチップ型電子部品は、電子部品本体１を形成するための生の積層体３５に含まれる有機樹脂の含有量を調整することにより形成することができる。
【００４３】
まず、図９において、（ａ−１）、（ａ−２）および（ａ−３）として示しているように、複数のセラミックグリーンシート３１を、電子部品本体１を厚み方向に３つのブロックに分けるように準備する。
【００４４】
次に、積層方向の中央部（ａ−２）に位置するブロックを形成するためのセラミックグリーンシート３１には、その表面の中央部分に有機樹脂を含む密着液を塗布し（図９では密着液の塗布膜３３として表している）、これら（ａ−１）、（ａ−２）および（ａ−３）のセラミックグリーシートを加圧加熱することにより積層体３５を形成する。このとき、他の上層側（ａ−１）および下層側（ａ−３）に位置するブロックを形成するためのセラミックグリーンシート３１については、（ａ−２）のブロックよりも密着液の量または有機樹脂の濃度を低くしたものを用いるか、または密着液を塗布しないで直接加圧加熱により接着させる方法を用いる。
【００４５】
次に、作製した積層体３５を所定の温度で焼成する。積層体３５は積層方向の中央部（ａ−２）に位置するブロックが他の上層側（ａ−１）および下層側（ａ−３）のブロックよりも多くの有機樹脂を含んでいるため、中央部（ａ−２）に位置するブロックは他の上層側（ａ−１）および下層側（ａ−３）のブロックよりも焼成収縮率が大きくなる。こうして、図９（ｃ）に示すように、端面３が凹状となった電子部品本体１を得ることができる。この後、凹状の端面３をほぼ完全に埋めるように外部電極ペーストを塗布し、所定の温度で焼き付けを行うことによって本実施形態のチップ型電子部品を得ることができる。
【００４６】
なお、図３に示すような、電子部品本体の端面に隣接する４つの面のうち、対向する２つの面の端面側の外周縁がＵ字状に湾曲している構造のチップ型電子部品は、中央部（ａ−２）に位置するブロックに用いるセラミックグリーンシート３１のほぼ全面に密着液の塗布膜３３を形成したものを作製し、積層体３５中に配置して焼成することによって得ることができる。
【００４７】
また、図５に示すような導体層２１を有するチップ型電子部品を製造する場合には、密着液の塗布膜３３を形成したセラミックグリーンシート３１の表面上に導体ペーストを印刷する。
【００４８】
さらに、電子部品本体１の端面付近の導体層２１が湾曲した、図６に示されるような構造の電子部品本体１や、図７に示すような対向する２つの面が互いに反対の向きに凸状に湾曲している構造の電子部品本体１、および積層方向の最上層および最下層の導体層が互いに反対の向きに凸状に湾曲している導体層２１を有する図８に示すような構造の電子部品本体１を作製する場合には、ローラーハースキルンなどを用い、通常よりも高温かつ高
速の焼成を行うことによって得ることができる。
【００４９】
具体的に、長さ（Ｌ）が０．６ｍｍ、幅（ｗ）および厚み（ｔ）が０．３ｍｍのサイズを設計寸法としてチップ型電子部品を作製した。従来構造のチップ型電子部品は、電子部品本体１のサイズが長さ（Ｌ）が０．５ｍｍ、幅（ｗ）および厚み（ｔ）が０．２２ｍｍ（体積が０．０２４２ｍｍ３）であったのに対し、本実施形態のチップ型電子部品は、端面３が凹状になった分だけ長さ（Ｌ）方向に有効部分がわずかに短いものとなったが（長さは０．５４ｍｍ）、幅（ｗ）および厚み（ｔ）を設計した寸法が０．３ｍｍに維持されるものにできたため、電子部品本体１の実質的な体積が０．０４８６ｍｍ３となり、従来のチップ型電子部品に比較して、電子部品本体１の有効な体積を約２倍にすることができた。
【００５０】
図３に示した構造のチップ型電子部品も見かけ上の体積は約０．０４８６ｍｍ３であった。
【００５１】
また、図５に示すような導体層２１を有するチップ型電子部品では、外部電極５が凹状の端面３に略全て埋設されている構造であっても、端面３から導体層２１が大きく突出し、外部電極５に埋入されている構造であったため、外部電極５の接着力は、外部電極５が電子部品本体１の端部を覆うように形成された従来のチップ型電子部品と同等であった。
【００５２】
また、作製したチップ型電子部品のうち、電子部品本体１の対向する２つの面（図７では１ａ、１ｃ）が互いに反対の向きに凸状に湾曲しているチップ型電子部品は、対向する２つの面（図７では１ａ、１ｃ）が略平行で平坦な構造の試料よりも機械的強度が約１０％ほど高いものとなった。さらには、電子部品本体１の内部に導体層２１を有する構造のチップ型電子部品（図８）においては、図７に示した構造のチップ型電子部品よりもさらに約１０％ほど機械的強度が高かった。
【符号の説明】
【００５３】
１、１０１・・・・・・・・電子部品本体
１ａ、１ｂ、１ｃ、１ｄ・・面
３、１０３・・・・・・・・端面
３ｃ・・・・・・・・・・・中央部
３ｓ・・・・・・・・・・・外周縁
５、１０５・・・・・・・・外部電極
５ｓ・・・・・・・・・・・（外部電極の）表面
７・・・・・・・・・・・・凹部
２１・・・・・・・・・・・導体層
３１・・・・・・・・・・・セラミックグリーンシート
３３・・・・・・・・・・・密着液の塗布膜
３５・・・・・・・・・・・積層体
【図４】
2015026730.tif 000003
【図５】
2015026730.tif 000004
【図６】
2015026730.tif 000005
【図１】
2015026730.tif 000006
【図２】
2015026730.tif 000007
【図３】
2015026730.tif 000008
【図７】
2015026730.tif 000009
【図８】
2015026730.tif 000010
【図９】
2015026730.tif 000011
【図１０】
2015026730.tif 000012